(57)【要約】データ相互接続が、各パケット制御機能エンティティ（ＰＣＦ）と各パケットデータサービス提供ノード（ＰＤＳＮ）がモバイルシグナリングプロトコルに従ってシグナリングメッセージを通信する複数のＰＣＦおよび複数のＰＤＳＮを有するモバイル通信網において管理される。モバイル加入者（ＭＳ）に関する情報が受信される。ＭＳが、第１のＰＣＦによってカバーされる第１の区域から第２のＰＣＦによってカバーされる第２の区域に移動した場合、ＭＳは、ＰＤＳＮ群の同じ１つに関連付けられる。第１のＰＣＦが、ＭＳに代行して第１の接続要求を発行したことが判定される。第１の接続要求の結果、選択プロトコルの第１回の実行が行われて、ＭＳに対応するＰＤＳＮが選択される。第２のＰＣＦが、ＭＳに代行して第２の接続要求を発行したことが判定される。選択プロトコルの第２回の実行が行われて、第１の接続要求の結果として選択されたのと同じＰＤＳＮが選択される。
2005525711.tif 000002
【特許請求の範囲】
【請求項１】
各パケット制御機能エンティティ（ＰＣＦ）と各パケットデータサービス提供ノード（ＰＤＳＮ）がモバイルシグナリングプロトコルに従ってシグナリングメッセージを通信する複数のＰＣＦおよび複数のＰＤＳＮを有するモバイル通信網においてデータ相互接続を管理するのに使用するための方法であって、
モバイル加入者（ＭＳ）に関する情報を受信するステップと、
前記ＭＳが第１のＰＣＦによってカバーされる第１の区域から第２のＰＣＦによってカバーされる第２の区域に移動した場合、前記ＰＤＳＮ群の同じ１つに前記ＭＳを関連付けるステップとを含む方法。
【請求項２】
その他のＰＤＳＮのそれぞれが、前記ＭＳが前記ＰＤＳＮ群の前記１つに関連付けられていることを知らない請求項１に記載の方法。
【請求項３】
前記ＭＳが前記第１のＰＣＦによってカバーされる前記第１の区域から前記第２のＰＣＦによってカバーされる前記第２の区域に移動した場合、前記ＭＳを前記ＰＤＳＮ群の前記１つにリンクするＰＰＰセッションを維持するステップをさらに含む請求項１に記載の方法。
【請求項４】
各パケット制御機能エンティティ（ＰＣＦ）と各パケットデータサービス提供ノード（ＰＤＳＮ）がモバイルシグナリングプロトコルに従ってシグナリングメッセージを通信する複数のＰＣＦおよび複数のＰＤＳＮを有するモバイル通信網においてパケットデータ相互接続を管理するのに使用するための方法であって、
第１のＰＣＦがモバイル加入者（ＭＳ）に代行して第１の接続要求を発行したことを判定するステップと、
前記第１の接続要求の結果、選択プロトコルの第１回の実行を行って、前記ＭＳに対応するＰＤＳＮを選択するステップと、
第２のＰＣＦが前記モバイル加入者（ＭＳ）に代行して第２の接続要求を発行したことを判定するステップと、
前記選択プロトコルの第２回の実行を行って、前記第１の接続要求の結果として選択されたのと同じＰＤＳＮを選択するステップとを含む方法。
【請求項５】
前記選択プロトコルが、ＭＮタイプ、ＭＮ  ＩＤ、ＭＮセッション参照ＩＤ、ならびにＭＳＣ、ＶＬＲ、またはＨＬＲを介して供与される値のうち少なくとも１つの値に依拠する請求項４に記載の方法。
【請求項６】
前記ＰＣＦ群の１つ、前記ＰＤＳＮ群の１つ、および外部サーバのうち少なくとも１つのエンティティを使用して、前記第１のＰＣＦが前記ＭＳに代行して前記第１の接続要求を発行したことを判定するステップの少なくとも一部を行うステップをさらに含む請求項４に記載の方法。
【請求項７】
前記ＰＣＦ群の１つ、前記ＰＤＳＮ群の１つ、および外部サーバのうち少なくとも１つのエンティティを使用して、前記選択プロトコルを実行して前記ＭＳに対応する前記ＰＤＳＮを選択するステップの少なくとも一部を行うステップをさらに含む請求項４に記載の方法。
【請求項８】
前記ＰＣＦ群の１つ、前記ＰＤＳＮ群の１つ、および外部サーバのうち少なくとも１つのエンティティを使用して、前記第２のＰＣＦが前記ＭＳに代行して前記第２の接続要求を発行したことを判定するステップの少なくとも一部を行うステップをさらに含む請求項４に記載の方法。
【請求項９】
前記ＰＣＦ群の１つ、前記ＰＤＳＮ群の１つ、および外部サーバのうち少なくとも１つのエンティティを使用して、前記選択プロトコルの第２回の実行を行って同じＰＤＳＮを選択するステップの少なくとも一部を行うステップをさらに含む請求項４に記載の方法。
【請求項１０】
各パケット制御機能エンティティ（ＰＣＦ）と各パケットデータサービス提供ノード（ＰＤＳＮ）がモバイルシグナリングプロトコルに従ってシグナリングメッセージを通信する複数のＰＣＦおよび複数のＰＤＳＮを有するモバイル通信網においてパケットデータ相互接続を管理するのに使用するための方法であって、
前記ＰＤＳＮ群のリストを保持するステップと、
ハッシュプロトコルを実行してＭＳ識別番号から導出された番号をＰＤＳＮ群の前記リストにマップするステップと、
前記マッピングから結果を導出するステップと、
前記ＰＣＦ群の１つからの接続要求に対する応答の中に前記結果を含めるステップとを含む方法。
【請求項１１】
各パケット制御機能エンティティ（ＰＣＦ）と各パケットデータサービス提供ノード（ＰＤＳＮ）がモバイルシグナリングプロトコルに従ってシグナリングメッセージを通信する複数のＰＣＦおよび複数のＰＤＳＮを有するモバイル通信網においてパケットデータ相互接続を管理するのに使用するための方法であって、
第１のＰＣＦがモバイル加入者（ＭＳ）に代行して第１の接続要求を発行したことを判定するステップと、
前記ＰＣＦ群の１つまたは前記ＰＤＳＮ群の１つ以外のエンティティにより、選択プロトコルを実行して前記ＰＤＳＮ群の中から前記ＭＳに対応するＰＤＳＮを選択するかどうかを決めるステップとを含む方法。
【請求項１２】
各パケット制御機能エンティティ（ＰＣＦ）と各パケットデータサービス提供ノード（ＰＤＳＮ）がモバイルシグナリングプロトコルに従ってシグナリングメッセージを通信する複数のＰＣＦおよび複数のＰＤＳＮを有するモバイル通信網においてパケットデータ相互接続を管理するのに使用するための方法であって、
ＰＣＦがモバイル加入者（ＭＳ）に代行して接続要求を発行したことを判定するステップと、
前記ＰＤＳＮ群の１つのサービスアドレスに接続要求を発行するように前記ＰＣＦに指示する応答が発行されて前記ＰＣＦに戻されるようにするステップであって、
前記ＰＤＳＮ群の前記１つもリダイレクションアドレスを有するステップとを含む方法。
【請求項１３】
選択プロトコルを適用して、異なるＰＣＦ群が単一のデータコール中に同一のＭＳに関して同じＰＤＳＮを選択するようにさせるステップをさらに含む請求項１２に記載の方法。
【請求項１４】
単一のデータコール中に同一のＭＳに関して同じＰＤＳＮが複数回、選択されるようにすることを各ＰＣＦに行わせるステップをさらに含む請求項１２に記載の方法。
【請求項１５】
ＭＮタイプ、ＭＮ  ＩＤ、およびＭＮセッション参照ＩＤの少なくとも１つから導出された値に対応する鍵空間を前記ＰＤＳＮ群の間で区分することを前記ＰＤＳＮ間の通信に行わせるステップをさらに含む請求項１２に記載の方法。
【請求項１６】
各パケット制御機能エンティティ（ＰＣＦ）と各パケットデータサービス提供ノード（ＰＤＳＮ）がモバイルシグナリングプロトコルに従ってシグナリングメッセージを通信する複数のＰＣＦおよび複数のＰＤＳＮを有するモバイル通信網においてデータ相互接続を管理するのに使用するためのシステムであって、
モバイル加入者（ＭＳ）が第１のＰＣＦによってカバーされる第１の区域から第２のＰＣＦによってカバーされる第２の区域に移動した場合に、前記ＭＳを前記ＰＤＳＮ群の同じ１つに関連付ける通信処理機構を含むシステム。
【請求項１７】
各パケット制御機能エンティティ（ＰＣＦ）と各パケットデータサービス提供ノード（ＰＤＳＮ）がモバイルシグナリングプロトコルに従ってシグナリングメッセージを通信する複数のＰＣＦおよび複数のＰＤＳＮを有するモバイル通信網においてデータ相互接続を管理することをコンピュータシステムに行わせるのに役立つ前記コンピュータシステムにおいて使用するための１組の命令を含むコンピュータ可読媒体上に常駐するコンピュータが読み取り可能なソフトウェアであって、
前記１組の命令は、前記コンピュータシステムが、
モバイル加入者（ＭＳ）に関する情報を受信するステップと、
前記ＭＳが第１のＰＣＦによってカバーされる第１の区域から第２のＰＣＦによってカバーされる第２の区域に移動した際に前記ＭＳを前記ＰＤＳＮ群の同じ１つに関連付けるステップとを行うようにさせるコンピュータが読み取り可能なソフトウェア。
【請求項１８】
各パケット制御機能エンティティ（ＰＣＦ）と各パケットデータサービス提供ノード（ＰＤＳＮ）がモバイルシグナリングプロトコルに従ってシグナリングメッセージを通信する複数のＰＣＦおよび複数のＰＤＳＮを有するモバイル通信網においてデータ相互接続を管理するのに使用するための装置であって、
モバイル加入者（ＭＳ）に関する情報を受信するための手段と、
前記ＭＳが第１のＰＣＦによってカバーされる第１の区域から第２のＰＣＦによってカバーされる第２の区域に移動した際に前記ＭＳを前記ＰＤＳＮ群の同じ１つに関連付けるための手段とを含む装置。
【発明の詳細な説明】
【技術分野】
【０００１】
本発明は、モバイル通信に関し、より詳細には、モバイル通信網におけるパケットデータ相互接続を管理することに関する。
【背景技術】
【０００２】
すべての最新のモバイル通信システムは、地理的な「カバレッジ区域」が「セル」と呼ばれるいくつかのより小さい地理的区域に区分される階層構成を有する。図１を参照すると、各セルが、好ましくは、基地トランシーバ局（「ＢＴＳ」）１０２ａによるサービスを受けている。いくつかのＢＴＳ１０２ａ〜ｎが、基地局コントローラ（「ＢＳＣ」）１０６ａによって固定リンク１０４ａ〜ｎを介して集中管理されている。ＢＴＳとＢＳＣは、ときとして、まとめて基地局サブシステム（「ＢＳ」）１０７と呼ばれる。いくつかのＢＳＣ１０６ｂ〜ｎが、固定リンク１０８ａ〜ｎを介してモバイル交換センタ（「ＭＳＣ」）１１０によって集中管理されることが可能である。
【０００３】
ＭＳＣ１１０は、ローカルのスイッチング交換局（以下に説明する移動性管理要件を扱う追加の機能を有する）として機能し、トランクグループを介して電話網（「ＰＳＴＮ」）１２０と通信する。米国のモバイル網は、ホームＭＳＣおよびゲートウェイＭＳＣを含む。ホームＭＳＣは、モバイル加入者（モバイル局または「ＭＳ」とも呼ばれる）に関連する交換局に対応するＭＳＣであり、この関連は、ＭＳの市外局番などの電話番号に基づく。ＭＳの例には、モバイル電話機、ＰＤＡ、双方向ページャ、またはラップトップコンピュータなどのハンドヘルドデバイス、あるいは冷蔵バン、または鉄道車両、コンテナ、またはトレーラーに取り付けられたモバイルユニットなどの、自己推進式ではなく、操作者を有さない機器などのモバイルユニット機器が含まれる。
【０００４】
ホームＭＳＣは、以下に説明するホームロケーションレジスタ（「ＨＬＲ」）１１８を担っている。他方、ゲートウェイＭＳＣは、ＭＳコールをＰＳＴＮに接続するのに使用される交換局である。したがって、あるときは、ホームＭＳＣ機能とゲートウェイＭＳＣ機能が同一のエンティティによって果たされるが、別のときは、同じエンティティによっては果たされない（ＭＳがローミングしている場合など）。通常、訪問ロケーションレジスタ（「ＶＬＲ」）１１６が、ＭＳＣ１１０と並置され、論理的に単一のＨＬＲが、モバイル網において使用される（論理的に単一のＨＬＲは、物理的に分散されていることが可能であるが、単一のエンティティとして扱われる）。以下に説明するとおり、ＨＬＲおよびＶＬＲは、加入者の情報およびプロファイルを記憶するために使用される。
【０００５】
無線チャネル１１２が、カバレッジ区域全体に関連している。無線チャネルは、個々のセルに割り振られたチャネルのグループに区分される。チャネルは、シグナリング情報を伝送して呼出し接続、および関連する構成を確立するのに使用され、呼出し接続が確立されると、音声情報またはデータ情報を伝送するのに使用される。
【０００６】
モバイル網シグナリングには、少なくとも２つの態様が関わる。１つの態様は、ＭＳとネットワークのその他の部分の間のシグナリングに関わる。２Ｇ（「２Ｇ」は、「第２世代」の業界用語である）およびさらに新しい技術のケースでは、このシグナリングは、ＭＳによって使用されるアクセス方法（時間分割多重アクセス、つまりＴＤＭＡ、符号分割多重アクセス、つまりＣＤＭＡなどの）に関わり、例えば、無線チャネルの割当て、および認証に関係する。第２の態様は、ＭＳＣ、ＢＳＣ、ＶＬＲ、およびＨＬＲの間のシグナリングなどの、モバイル網における様々なエンティティの間のシグナリングに関わる。この第２の部分は、ときとして、特にシグナリングシステム第７号（「ＳＳ７」）の文脈で使用される場合、モバイルアプリケーション部（ＭＡＰ）と呼ばれる。ＳＳ７は、電話網の要素がメッセージの形態で情報を交換する共通チャネルシグナリングシステムである。
【０００７】
様々な形態のシグナリング（ならびにデータ通信および音声通信）が、様々な標準に従って送受信される。例えば、米国電子工業会（「ＥＩＡ」）および米国電気通信工業会（「ＴＩＡ」）が、ＭＡＰ標準であるＩＳ−４１などの多くの米国標準を定義するのを助けている。同様に、ＣＣＩＴＴおよびＩＴＵが、国際ＭＡＰ標準であるＧＳＭ−ＭＡＰなどの国際標準を規定するのを助けている。これらの標準に関する情報は、周知であり、該当の機関から見出すことができ、文献からも見出すことができる。例えば、Ｂｏｓｓｅ著、「ＳＩＧＮＡＬＩＮＧ  ＩＮ  ＴＥＬＥＣＯＭＭＵＮＩＣＡＩＯＮＳ  ＮＥＴＷＯＲＫＳ」（Ｗｉｌｅｙ  １９９８）を参照されたい。
【０００８】
ＭＳ１１４からコールを送出するため、ユーザは、セル電話機上、または他のＭＳ上で番号をダイヤルして、「送信」を押す。ＭＳ１１４は、ＢＳ１０７を介してＭＳＣ１１０に要求されるサービスを示すダイヤルされた番号を送信する。ＭＳＣ１１０は、関連するＶＬＲ１１６（以下に説明する）を調べて、ＭＳ１１４に要求のサービスが許されているかどうかを判定する。ゲートウェイＭＳＣが、ＰＳＴＮ１２０上でダイヤルされたユーザのローカル交換局にコールを転送する。ローカル交換局は、呼び出されたユーザ端末装置に警報を行い、サービスを提供しているＭＳＣ１１０を介してＭＳ１１４に応答信号が返送され、これにより、ＭＳに至る音声パスが完成される。セットアップが完了すると、コールが行われることが可能である。
【０００９】
ＭＳ１１４にコールを送るため、（コールがＰＳＴＮ１２０を起点とするものと想定すると）、ＰＳＴＮユーザが、ＭＳの関連する電話番号をダイヤルする。少なくとも米国標準によれば、ＰＳＴＮ１２０は、コールをＭＳのホームＭＳＣ（ＭＳにサービスを提供しているホームＭＳＣであることも、そうでないことも可能である）にコールを転送する。すると、ＭＳＣは、ＨＬＲ１１８に問い合わせて、いずれのＭＳＣが現在、そのＭＳにサービスを提供しているかを特定する。これはまた、コールがこれから来ることをサービスを提供しているＭＳＣに知らせる作用もする。次に、ホームＭＳＣは、サービスを提供しているＭＳＣにコールを転送する。サービスを提供しているＭＳＣは、適切なＢＳを介してＭＳにページングする。ＭＳが応答し、適切なシグナリングリンクがセットアップされる。
【００１０】
コール中、ＢＳ１０７とＭＳ１１４は、例えば、信号条件のために必要とされる場合、協働してチャネルまたはＢＴＳ１０２を切り替える。この切替えは、「ハンドオフ」として知られ、独自のタイプの周知のメッセージおよびシグナリングが関与する。
【００１１】
ＭＡＰの一態様は、「移動性管理」に関わる。ＭＳ１１４が異なる場所にローミングするにつれ、ＭＳにサービスを提供するのに異なるＢＳおよびＭＳＣが必要とされ、使用される可能性がある。移動性管理は、コールに正しくサービスを提供し（料金請求する）のにＭＳＣが必要とする加入者プロファイル、およびその他の情報をゲートウェイＭＳＣが有することを確実にするのに役立つ。その目的で、ＭＳＣは、ＶＬＲ１１６およびＨＬＲ１１８を使用する。ＨＬＲは、とりわけ、モバイル識別番号（「ＭＩＮ」）、電子通し番号（「ＥＳＮ」）、ＭＳステータス、およびＭＳサービスプロファイルを記憶し、取り出すのに使用される。ＶＬＲは、ゲートウェイ（ホーム）ＭＳＣを識別するＭＳＣ識別を記憶することに加えて、同様の情報を記憶する。さらに、適切なＭＡＰプロトコルの下で、モバイル加入者のホームＭＳＣが自らのユーザの位置を特定することができるように、位置更新手続き（または登録通知）が行われる。この手続きは、ＭＳがある位置から別の位置にローミングする際、またはＭＳに電源が投入され、ネットワークにアクセスするために自らを登録した際に使用される。例えば、位置更新手続きは、ＭＳ１１４が、ＢＳ１０７およびＭＳＣ１１０を介してＶＬＲ１１６に位置更新要求を送信することで行われることが可能である。ＶＬＲ１１６は、ＭＳ１１４にサービスを提供しているＨＬＲ１１８に位置更新メッセージを送信し、加入者プロファイルがＨＬＲ１１８からＶＲＬ１１６にダウンロードされる。ＭＳ１１４には、位置更新成功の確認が送られる。ＨＬＲ１１８が、プロファイルデータを以前に保持していたＶＬＲ（存在する場合）に、移動したＭＳ１１４に関連するデータを削除するように要求する。
【００１２】
図２は、ＣＤＭＡモバイル網におけるＢＳ１０７とＭＳＣ１１０の間のシグナリングインターフェースおよびユーザトラフィックインターフェースをより詳細に示している。ＢＳ１０７は、「Ａ１」インターフェースとして知られる音声回路およびデータ回路を制御するためにＳＳ７ベースのインターフェースを使用してシグナリング情報を通信する。「Ａ２」として知られるインターフェースが、ＭＳＣのスイッチ構成要素２０４とＢＳ１０７の間でトラフィック（音声信号などの）を伝送する。「Ａ５」として知られるインターフェースを使用して、送信元ＢＳとＭＳＣの間で回線交換データコール（音声コールと対比される）に関するユーザトラフィックのためのパスが提供される。Ａ１、Ａ２、Ａ５の１つまたは複数に関する情報は、「ＣＤＭＡ  Ｉｎｔｅｒｎｅｔｗｏｒｋｉｎｇ−Ｄｅｐｌｏｙｉｎｇ  ｔｈｅ  Ｏｐｅｎ−Ａ  Ｉｎｔｅｒｆａｃｅ，Ｓｕ−Ｌｉｎ  Ｌｏｗ，Ｒｏｎ  Ｓｃｈｎｅｉｄｅｒ，Ｐｒｅｎｔｉｃｅ  Ｈａｌｌ，２０００，ＩＳＢＮ  ０−１３−０８８９２２−９」で見ることができる。
【００１３】
図３を参照すると、無線サービスには、ＣＤＭＡ２０００標準に準拠するデータコールのようなＭＳとインターネットの間の「パケットデータコール」などのデータサービスが含まれている。３Ｇデバイスとして知られるＭＳのケースでは、ＭＳからのデータコールが、３Ｇ対応のＢＳＣからパケットデータサービス提供ノード（ＰＤＳＮ）として知られる機構に転送される。ＰＤＳＮは、固定ネットワークにおけるデータの伝送と無線インターフェースを介するデータの伝送の間でインターフェースをとる。ＰＤＳＮは、ＢＳと並置されていることも、そうでないことも可能なパケット制御機能（ＰＣＦ）を介してＢＳとインターフェースをとる。
【００１４】
無線パケットＲ−Ｐインターフェースが、ＰＣＦとＰＤＳＮの間で提供され、無線チャネルと有線チャネルの間でプロトコル変換を実施する。Ｒ−Ｐインターフェースは、３ｒｄ  Ｇｅｎｅｒａｔｉｏｎ  Ｐａｒｔｎｅｒｓｈｉｐ  Ｐｒｏｊｅｃｔ２による「３ＧＰＰ２」−３ＧＰＰ２．Ａ−Ｓ０００１−０．１，Ｊｕｎｅ  ２０００に記載されるＡインターフェースの「Ａ１０」および「Ａ１１」の態様に基づいている。Ａ１０インターフェース（ＧＲＥトンネルとしても知られる）は、ＰＣＦとＰＤＳＮの間でデータトランスポートプロトコルを提供する。Ａ１１インターフェースは、ＰＣＦとＰＤＳＮの間のデータフローに関する制御シグナリングを提供する。
【００１５】
ＰＤＳＮによって次の２つの動作モードが提供される。すなわち、シンプルＩＰおよびモバイルＩＰである。シンプルＩＰとは、ＭＳにローカルＰＤＳＮから動的ＩＰアドレスが割り当てられ、訪問先アクセスプロバイダ網へのＩＰ経路指定サービスが提供されるサービスを指す。ＭＳは、アドレスを割り当てるＰＤＳＮに対する接続を有する無線網によるサービスを受けている限り、自らのＩＰアドレスを保持することができる。このＰＤＳＮを超えてＩＰアドレス移動性は存在しない。
【００１６】
詳細には、シンプルＩＰモバイル加入者（ＭＳ）が、異なるＰＣＦによるサービスを受ける区域間を移動する場合、その加入者は、新たなＰＤＳＮに向かわせられることが可能である。新たなＰＤＳＮは、前のポイントツーポイントプロトコル（ＰＰＰ）セッション状態について知らないので、すべてのＰＰＰパラメータ（ＭＳに割り当てられているＩＰアドレスなどの）の再交渉を要求する。再交渉プロセスは、ＭＳ上で実行されている可能性があるデータアプリケーションをひどく阻害するものであり、しばしば、アプリケーションがサービスを終了することが強要される。シンプルＩＰモバイル加入者の場合、データコール中のＰＤＳＮ間ハンドオフに関する規定は存在しないので、ＩＰ接続を維持することができない。
【００１７】
モバイルＩＰは、すべてのＰＤＳＮにわたって既存の通信を維持するＩＰ層移動性管理機能を提供する。モバイルＩＰは、モバイル加入者に特殊機能が組み込まれることを要求する。モバイルＩＰのモバイル加入者の場合、ＩＰ接続を維持するためにモバイル加入者は、周知のプロトコルドキュメントＲＦＣ２００２（ｈｔｔｐ：／／ｗｗｗ．ｉｅｔｆ．ｏｒｇ／ｒｆｃ／ｒｆｃ２００２．ｔｘｔ？ｎｕｍｂｅｒ＝２００２）に従って自らのホームエージェントに登録することによってＰＤＳＮ間ハンドオフを行う。この場合、新たなパケットデータセッションが、ＰＰＰセッションとともに確立される。モバイルＩＰモデルでは、ネットワーク層（ＩＰ）パラメータの再交渉が行われないので、ハンドオフは、それほど阻害をもたらさない。ただし、そのユーザのためにＰＤＳＮ外部エージェント（ＦＡ）とホームエージェント（ＨＡ）の間でモバイルＩＰトンネルを再確立するのに相当な遅延がある可能性がある。この遅延は、ＭＳに伝送中のパケットを阻害するものである。シンプルＩＰサービスに関するＰＤＳＮ間のＩＰ層移動性管理機能サポートと同様のサポートは存在しない。
【００１８】
シンプルＩＰでは、ＰＤＳＮは、Ａ１０／Ａ１１データストリームを終端させ、ユーザのＡ１０データストリームに含まれるＰＰＰペイロード上のＬ２ＴＰなどのＰＰＰトンネリングサービスを提供するか、またはユーザのＰＰＰデータストリームを終端させて、もたらされるユーザのＩＰパケットをその加入者に対応する仮想私設ネットワーク（ＶＰＮ）ＩＰクラウドに送り込む。モバイルＩＰモードでは、ＰＤＳＮは、ドキュメントＲＦＣ２００２に記載される外部エージェント機能を組み込む。このドキュメントに記載されるホームエージェント機能は、ＩＰクラウド内の別のデバイスによるサービスを受ける。
【００１９】
ＰＣＦは、選択されたＰＤＳＮにＡ１１登録要求メッセージを送信することによってＡ１０接続のセットアップを開始する。（ＰＣＦは、最初、ＰＣＦ実施に特有の機構を介してＰＤＳＮを選択する。通常、ＰＣＦは、ＰＤＳＮアドレスの静的に構成された優先順位付きリストを有する。）選択されたＰＤＳＮは、接続を受け入れない場合、拒否結果コードを伴うＡ１１登録応答メッセージを戻すことが可能である。ＰＤＳＮは、結果コード「８８Ｈ」（登録拒否−未知のＰＤＳＮアドレス）を伴うＡ１１登録応答メッセージを戻すことが可能である。コード「８８Ｈ」（１０進数「１３６」と同じ）が使用される場合、代替のＰＤＳＮアドレスがＡ１１登録応答メッセージの中に含められる。代替の提案されるＰＤＳＮのアドレスは、Ａ１１登録応答メッセージのホームエージェントフィールドの中で戻される。コード「８８Ｈ」と伴うＡ１１登録応答を受信すると、ＰＣＦは、新たなＡ１１登録要求メッセージを代替の提案されるＰＤＳＮに送信することにより、その代替の提案されるＰＤＳＮとのＡ１０接続の確立を開始する。
【００２０】
複数のＰＤＳＮが１次ＰＤＳＮにリンクされる負荷バランシング技術が提案されている。１次ＰＤＳＮは、その他のＰＤＳＮによって扱われているデータコール負荷を把握している。ＰＣＦからのすべてのＡ１１登録要求メッセージは、１次ＰＤＳＮによって受信され、１次ＰＤＳＮが、次に、結果コード「８８Ｈ」を伴うＡ１１登録応答メッセージを使用して、負荷バランシング原理に従って、その他のＰＤＳＮの１つにＰＣＦをリダイレクションする。ＭＳが、異なるＰＣＦに対応する区域にローミングした場合、そのＰＣＦは、新たなＡ１１登録要求を１次ＰＤＳＮに送信し、これにより、前述したとおり阻害をもたらす結果を伴って、ＭＳが異なるＰＤＳＮに関連付けられるようになる可能性がある。
【発明の開示】
【発明が解決しようとする課題】
【００２１】
【課題を解決するための手段】
【００２２】
データ相互接続が、各パケット制御機能エンティティ（ＰＣＦ）と各パケットデータサービス提供ノード（ＰＤＳＮ）がモバイルシグナリングプロトコルに従ってシグナリングメッセージを通信する複数のＰＣＦおよび複数のＰＤＳＮを有するモバイル通信網において管理される。本発明の態様では、モバイル加入者（ＭＳ）に関する情報が受信され、ＭＳが、第１のＰＣＦによってカバーされる第１の区域から第２のＰＣＦによってカバーされる第２の区域に移動した場合、ＭＳは、ＰＤＳＮ群の同じ１つに関連付けられる。
【００２３】
本発明の別の態様では、第１のＰＣＦが、ＭＳに代行して第１の接続要求を発行したことが判定される。第１の接続要求の結果、選択プロトコルの第１回の実行が行われて、ＭＳに対応するＰＤＳＮが選択される。第２のＰＣＦが、ＭＳに代行して第２の接続要求を発行したことが判定される。選択プロトコルの第２回の実行が行われて、第１の接続要求の結果として選択されたのと同じＰＤＳＮが選択される。
【００２４】
本発明の別の態様では、ＰＤＳＮのリストが保持される。ハッシュプロトコルが実行されて、ＭＳ識別番号から導出された番号がＰＤＳＮのリストにマップされる。このマッピングから結果が導出される。結果は、ＰＦＣ群の１つからの接続要求に対する応答の中に含められる。
【００２５】
本発明の別の態様では、ＰＣＦ群の第１のＰＣＦがモバイル加入者（ＭＳ）に代行して第１の接続要求を発行したことが判定され、ＰＣＦ群の１つまたはＰＤＳＮの１つ以外のエンティティにより、ＰＤＳＮ群の中から、ＭＳに対応するＰＤＳＮを選択する選択プロトコルを実行するかどうかが決められる。
【００２６】
本発明の別の態様では、ＰＣＦ群の１つがモバイル加入者（ＭＳ）に代行して接続要求を発行したことが判定され、ＰＤＳＮ群の１つのサービスアドレスに対して接続要求を発行するようにＰＣＦに指示する応答がＰＣＦに戻るように発行させられ、ＰＤＳＮ群のその１つも、リダイレクションアドレスを有する。
【００２７】
本発明の実施形態は、以下の利点の１つまたは複数を提供することができる。データコール中、ＰＤＳＮ間ハンドオフを減らすこと、または回避することができる。モバイル加入者（モバイルハンドセットなどの）とＰＤＳＮの間のＰＰＰ接続が、モバイル加入者が１つのＢＳＣまたはＰＣＦによってカバーされる区域外にローミングして別のＢＳＣまたはＰＣＦによってカバーされる区域に入った際に維持されることが可能である。したがって、ＰＰＰ接続の維持に依存するアプリケーションに関して、中断を少なくすること、またはなくすことができる。ＰＰＰ接続は、モバイル加入者がモバイルＩＰに適合しているかどうかに関わらず、維持されることが可能である。シンプルＩＰおよび標準のハンドセットに適合するアプリケーションは、モバイル加入者が異なるＢＳＣまたはＰＣＦによってカバーされる区域の間でローミングする場合でも、データコールの完全性を維持することができる。モバイルＩＰでは、インターフェースＰＤＳＮハンドオフを減少させること、またはなくすことができ、これはハンドオフ待ち時間を短縮するのに役立つ。各ＰＤＳＮは、その他のＰＤＳＮによって扱われているコールを追跡することなく、コールを他のＰＤＳＮに適切にリダイレクションすることができる。
【００２８】
他の利点および特徴は、図面を含む以下の説明、および特許請求の範囲から明白となる。
【発明を実施するための最良の形態】
【００２９】
モバイル通信においてパケットデータ相互接続を管理するための方法およびシステムを提供する。本方法およびシステムは、ＭＳが異なるＰＣＦに関連する区域間で移動する際に、ＭＳデータ通信におけるＰＤＳＮハンドオフを回避するのに役立つ。
【００３０】
第１の一般的な手法では、各ＭＳが、恒久的に割り当てられたＰＤＳＮを有する。ＰＣＦは、加入者がネットワークに登録し、認証を受けた際に、そのモバイル加入者に関するホームロケーションレジスタ（ＨＬＲ）からこのアドレス（およびバックアップアドレス）を獲得する。そのような場合、ネットワークプロバイダのすべてが、地理上または管理上の配慮／境界に関わらず、すべてのＰＣＦとすべてのＰＤＳＮの間でＩＰ無線網を相互接続する。ＨＬＲ、ならびにＢＳＣ／ＭＳＣ（ＨＬＲプロキシ）とＰＣＦの間のメッセージ交換に変更が行われる。モバイル加入者と可用なＰＤＳＮの間の静的マッピングが保持される。ＨＬＲは、ＭＳに関する１次ＰＤＳＮが利用できない場合に備えて、各ＭＳに関するバックアップＰＤＳＮアドレスを特定することもできる。
【００３１】
第２の一般的な手法では、管理上、協力する一群のＰＣＦが、互いの間でシグナリングスキームを使用して、各Ａ１０／Ａ１１モバイル加入者セッションにサービスを提供する適切なＰＤＳＮを特定する。大量のセッションごとの記憶、および複雑なシグナリングが関与する。各ＰＣＦは、管理ドメイン内の現在、確立されているすべてのＭＳセッションを知っている。単純化すると、管理ドメイン内の各ＰＣＦが、可用なＰＤＳＮ群の完全なリストを有するように構成され、各ＰＣＦは、モバイルセッション識別情報をＰＤＳＮ群のリストにマップする同じハッシュ関数、または実質的に同じハッシュ関数を適用する。可能なモバイルセッションを特定するのに使用することができる情報には、次の「３つの番号のセット」が含まれる。すなわち、ＭＮタイプ、ＭＮ  ＩＤ、およびＭＮセッション参照ＩＤである。特定の実施形態では、各ＰＣＦは、３つの番号のセットをＰＤＳＮ群のリストに対してハッシングし、選択されたＰＤＳＮに対するセッションをまず提供することにより、ＭＳセッションを終端させる１次ＰＤＳＮを選択する。セッションが選択された１次ＰＤＳＮによって受け入れられなかった場合、任意の他の可用なＰＤＳＮを使用することができる（ＰＣＦは、提供されたセッションを受け入れなかった最初のＰＤＳＮによって示唆されたＰＤＳＮを選好することが可能である。）そのような場合、重なり合わない管理ＰＣＦ区域が定義され、ＰＤＳＮをサービスに入れること、およびサービスから外すことをどのように扱うか、ＰＤＳＮからのフィードバックを欠いた状態で動的負荷バランシングをどのように扱うかに対処する必要がある可能性がある。ＰＣＦ間シグナリングプロトコルを使用して、または新しいＰＣＦ−ＰＤＳＮシグナリングメッセージを提供して、ＰＣＦが、必要とされる、または役立つ可能性があるユーザプロファイルやＰＤＳＮ管理状態情報などのＰＤＳＮ内部においてだけ入手可能な情報にアクセスを有するようにすることができる。
【００３２】
以下により詳細に説明する第３の一般的な手法では、ＰＣＦの既存の機能が機能強化されたＰＤＳＮソフトウェアによって使用されて、ＰＤＳＮソフトウェアがＰＤＳＮ間ハンドオフを回避するのに役立つことが可能であるようにする。詳細には、特定の実施形態では、Ｒ−Ｐ登録要求誤りコード０ｘ８８（「登録拒否＝＝管理上、拒否」を示す）が機能強化されたＰＤＳＮソフトウェアによって使用されて、ＰＤＳＮハンドオフを回避するのに役立つ。ＰＣＦが登録要求を発行したことに応答して、この誤りコードがＰＤＳＮによって戻された場合、ＰＤＳＮは、自らの代わりに試みられるべき別のＰＤＳＮを示唆することができる。この機構を使用して、ＰＤＳＮは、モバイル加入者に関するセッションを終端させる特定のＰＤＳＮを示唆することができる。登録要求を行うＰＣＦに示唆されるべき特定のＰＤＳＮを選択するための様々な技術を以下に説明する。その技術により、ＰＣＦを切り替えた進行中のデータコールが、引続き同じＰＤＳＮに向かわせられることが可能になり、これは、ＰＤＳＮハンドオフを回避するのに役立つ。
【００３３】
ＰＣＦに示唆されるべき特定のＰＤＳＮを選択するための第１の技術は、以下の２つのアドレス（ポートとしても知られる）を有するように各ＰＤＳＮを構成することを含む。すなわち、Ｒ−Ｐリダイレクションアドレス、およびＲＰサービスアドレスである。ＰＣＦは、Ｒ−Ｐリダイレクションアドレス（ｒｅｄｉｒｅｃｔｉｏｎ  ａｄｄｒｅｓｓ）に対応するアドレスだけを有するように構成される。ＰＣＦが初めてＰＤＳＮに接触した際、ＰＤＳＮは、３つの番号のセット（ＭＮタイプ、ＭＮ  ＩＤ、およびＭＮセッション参照ＩＤ）に基づいてモバイル加入者に関する新しいセッションを扱う特定のＰＤＳＮを選択する。３つの番号は、ＰＤＳＮ選択手続きにおいて「最適な」ＰＤＳＮを選択するのに使用される。ＰＤＳＮ選択手続きは、ＰＤＳＮサービスアドレスのあらかじめ構成された（または発見された）リストに対するハッシュ関数であること、またはそのハッシュ関数を含むことが可能である。以下に例を示す。
【００３４】
以下の２つのＰＤＳＮが提供される。
サービスアドレス１０．１．１．１およびリダイレクションアドレス１０．１．１．２を有するように構成されたＰＤＳＮ−Ａ
サービスアドレス１０．２．２．１およびリダイレクションアドレス１０．２．２．２を有するように構成されたＰＤＳＮ−Ｂ
両方のＰＤＳＮともに、次のＰＤＳＮサービスアドレスリストを有するように構成される。すなわち、（１０．１．１．１，１０．２．２．１）である。両方のＰＤＳＮに、次のハッシュ関数が提供される。すなわち、Ｈ（ｍｎ−タイプ，ｍｎ−ｉｄ，ｍｎ−セッション−ｉｄ）＝（ｍｎ−タイプ＋ｍｎ−ｉｄ＋ｍｎ−セッション−ｉｄ）ｍｏｄ  ２
ハッシュ関数は、ＰＤＳＮサービスアドレスリストに対する索引を計算する（０の索引は、１０．１．１．１に対応し、１の索引は、１０．２．２．１に対応する）
ＰＣＦが、ＰＤＳＮアドレスの次のリストを有するように構成される。すなわち、（１０．１．１．２，１０．２．２．２）である。
【００３５】
ＭＳ＃１に関するコールは、以下の特性を有して着信する。
ＭＮ−タイプ＝１
ＭＮ  ＩＤ＝９７８８５１１１０
ＭＮセッション参照ＩＤ＝１
ＰＣＦが、自らのリスト内の次の最初のＰＤＳＮにＲ−Ｐ登録要求を送信する。すなわち、ＰＤＳＮ−Ａ（１０．１．１．２）である。ＰＤＳＮ−Ａが、Ｈ（１，９７８８５１１１０，１）＝０を計算し、これは、そのコールに関するサービスアドレスが１０．１．１．１になることを示す。サービスアドレス１０．１．１．１は、ＰＤＳＮ−Ａ自体を表わし、したがって、ＰＤＳＮ−Ａは、そのコールを受け入れる。
【００３６】
ＭＳ＃２に関するコールは、以下の特性を有して着信する。
ＭＮ−タイプ＝１
ＭＮ  ＩＤ＝９７８８５１１１１
ＭＮセッション参照ＩＤ＝１
ＰＣＦが、自らのリスト内の次の最初のＰＤＳＮにＲ−Ｐ登録要求を送信する。すなわち、ＰＤＳＮ−Ａ（１０．１．１．２）である。ＰＤＳＮ−Ａが、Ｈ（１，９７８８５１１１１，１）＝１を計算し、これは、そのコールに関するサービスアドレスが１０．２．２．１になることを示す。サービスアドレス１０．２．２．１はＰＤＳＮ−Ａに対応しないので、誤りコード０ｘ８８を伴う登録拒否メッセージが、メッセージのホームエージェントフィールドが１０．２．２．１に設定されてＰＣＦに返送される。ＰＣＦは、新たな登録要求をＰＤＳＮ−Ｂ  １０．２．２．１に送る。要求はサービスアドレスに送信されるので、ＰＤＳＮ−Ｂは、ハッシュ関数を実行しない。代わりに、ＰＤＳＮ−Ｂは、十分なリソースが利用できる場合、Ｒ−Ｐサービスを開始する。
【００３７】
例示的な手続きを図４〜５に示す。（簡明にするため、図４は、図３に示したＭＳとＰＣＦの間の要素を示していない。）ＰＤＳＮのそれぞれ、ＰＤＳＮ１、ＰＤＳＮ２、ＰＤＳＮ３、ＰＤＳＮ４は、Ｒ−ＰリダイレクションアドレスおよびＲ−Ｐサービスアドレスを有している（ＰＤＳＮ１のケースでは、それぞれアドレスＡおよびアドレスＢのように）。ＰＣＦ１およびＰＣＦ２が、ＰＤＳＮに対する最初の接触に関してＲ−Ｐリダイレクションアドレスだけを使用するように構成される。各ＰＤＳＮは、以下に説明するとおり動作するソフトウェアＳＷを実行している。最初、ＭＳは、ＰＣＦ１によってカバーされる区域内にある。ＭＳに関わるデータコールが開始された際、ＰＤＳＮ１が、ＰＤＳＮ１アドレスＡにおいてＰＣＦ１から接続要求（Ａ１１登録要求メッセージ）を受信する（ステップ１０１０）。ＭＳに対応するＰＤＳＮ（この例では、ＰＤＳＮ２）が特定される（ステップ１０２０）。ＭＳに対応するＰＤＳＮが現在のＰＤＳＮである場合（この例では、対応するＰＤＳＮがＰＤＳＮ１であった場合）、接続要求が受け入れられ、手続きが終了する（ステップ１０３０）。応答（拒否結果コード「８８Ｈ」を伴うＡ１１登録応答）がＰＣＦ１に伝送され、対応するＰＤＳＮのＲ−Ｐサービスアドレス（ここでは、アドレスＤ）を示す（ステップ１０４０）。
【００３８】
ＭＳがＰＣＦ２によるサービスを受ける区域にローミングした場合、ＰＣＦ２は、ＰＤＳＮ群の１つ（ここでは、アドレスＧにおけるＰＤＳＮ４）に接続要求を送信する。ＰＤＳＮ４上のソフトウェアＳＷが、ＰＤＳＮ１上の同じソフトウェアＳＷが行ったのと同様に、ＭＳに対応するＰＤＳＮがＰＤＳＮ２であることを特定し、ＰＣＦ２に応答してＰＤＳＮ２のアドレスＤへのリダイレクションを示す。したがって、ＭＳは、ＰＣＦ１によるサービスを受ける区域からＰＣＦ２によるサービスを受ける区域に移動したにも関わらず、ＰＤＳＮ２に関連したままである。
【００３９】
少なくとも２つの仕方で、前述した構成は、ＰＣＦとＰＤＳＮの間の不必要なリダイレクション通信を減少させるのに、または防止するのに役立つ。第１に、ＭＳに対応するＰＤＳＮが現在のＰＤＳＮである場合に接続要求を受け入れることにより、ソフトウェアＳＷは、ＰＣＦが同じＰＤＳＮに要求を再び向けなおすようにさせられることを回避する。第２に、各ＰＤＳＮ上で別々のリダイレクションアドレスおよびサービスアドレスを提供することにより、ソフトウェアＳＷが、要求がリダイレクションの結果である場合にそれを検出するように機能強化されることが可能であり、ＰＣＦが、同じＰＤＳＮに戻る別のリダイレクションを行うようにさせられることが回避される。この機能強化によれば、ＰＣＦは、リダイレクションアドレスだけを有するように構成されているので、要求が、リダイレクションアドレスではなく、サービスアドレスを介してＰＤＳＮに着信した場合、ソフトウェアＳＷは、さらなる解析なしにその要求を受け入れる。というのは、ＰＣＦは、リダイレクション応答の結果としてだけ、サービスアドレスに対する要求を生成するものと想定されているからである。
【００４０】
代替のＰＤＳＮ選択手続きは、ハッシュ関数によって生成された鍵空間の動的管理を含む。以下は、鍵空間の動的管理に適した手続き６０００（図６）の説明である。鍵空間は、有限整数範囲０．Ｎから成ることが可能である。この鍵空間は、３つの番号のセット（ＭＮタイプ、ＭＮ  ＩＤ、およびＭＮセッション参照ＩＤ）に、または３つの番号のセットに適用されたハッシュ関数の結果に直接に対応することが可能である。最初に、ドメイン内のＰＤＳＮが、互いを発見するように指示され（ステップ６０１０）、管理ＰＤＳＮドメインに対するメンバシップに関して合意する（ステップ６０２０）。次に、鍵空間が、管理ドメイン内の動作上、アクティブなＰＤＳＮの間で均等に区分され（ステップ６０３０）、いずれのアクティブなセッションもそのままに保たれる。各ＰＤＳＮは、区分された鍵空間の完全な見通しを保持し（ステップ６０４０）、セッションがローカルで追加されるにつれ、ピアから鍵空間を獲得することによって空間における穴の数を最小限に抑えようと、または減らそうと試みる（ステップ６０５０）。以下に例を示す。
【００４１】
以下の２つのＰＤＳＮが提供される。
サービスアドレス１０．１．１．１およびリダイレクションアドレス１０．１．１．２を有するように構成されたＰＤＳＮ−Ａ
サービスアドレス１０．２．２．１およびリダイレクションアドレス１０．２．２．２を有するように構成されたＰＤＳＮ−Ｂ
両方のＰＤＳＮともに、可用ＰＤＳＮサービスアドレスリスト（１０．１．１．１．，１０．２．２．１）、６５５３６のエントリ（１０．１．１．１．＜３２７６８回繰り返す＞，１０．２．２．１＜３２７６８回繰り返す＞）を有するＰＤＳＮサービスリスト、およびハッシュ関数Ｈ（ｍｎ−タイプ，ｍｎ−ｉｄ，ｍｎ−セッション−ｉｄ）＝（ｍｎ−タイプ＋ｍｎ−ｉｄ＋ｍｎ−セッション−ｉｄ）ｍｏｄ  ６５５３６を有するように構成される。
【００４２】
ハッシュ関数は、６５５３６エントリのＰＤＳＮサービスリストに対する索引を計算する。
既存の２つのＰＤＳＮに加わるため、別のＰＤＳＮが、各ＰＤＳＮから空きエントリのリストを要請し、リストを交差させ、各ＰＤＳＮに要求所有権メッセージを送信することによって未使用のスロットの所有権をアサートする。各ＰＤＳＮから肯定的な確認を受信した後、他方のＰＤＳＮは、各ＰＤＳＮにアサート所有権メッセージを送信することができる。
【００４３】
ＰＤＳＮが追加されるか、または除去され、あるいは追加され、および除去され、負荷が変化するにつれ、ＰＤＳＮの間で動的に鍵空間を区分しなおすことが必要であるか、または役立つ可能性がある。特定の実施形態では、そのような再区分は、次のとおり、手続き７０００（図７）によって集中式に行われる。指定された「マスタ」ＰＤＳＮが、鍵空間の様々な再区分を提案するように指示される（ステップ７０１０）。そのような場合、各ＰＤＳＮは、提案の区分でそのＰＤＳＮがどれだけの数の鍵の競合を有することになるかをマスタＰＤＳＮに知らせ（ステップ７０２０）、状況に応じて、マスタＰＤＳＮは、競合の生じる鍵範囲をさらに分割することによって鍵空間のさらなる細分化を提案する（ステップ７０３０）。鍵空間の妥当な再区分に達した時点で、各ＰＤＳＮが、新しい鍵空間への切替えを行う（ステップ７０４０）。シンプルＩＰのケースにおけるトランスペアレントなＰＤＳＮ間の移動性を実現することの失敗をもたらす可能性がある未解決の鍵の競合を回避することが望ましい。
【００４４】
ＰＣＦに示唆されるべき特定のＰＤＳＮを選択するための第２の技術は、第１の技術といくつかの態様を共有する。このケースでは、手続き８０００（図８）に従って、遠隔認証ダイヤルインユーザサービス（ＲＡＤＩＵＳ）サーバなどの外部サーバを使用して、Ｒ−Ｐセッションを扱う「最適な」ＰＤＳＮが選択され（ステップ８０１０）、「最適な」ＰＤＳＮ選択がＰＣＦに戻される（ステップ８０２０）。利点は、この技術が、特定の３つの番号のセット（ＭＮタイプ、ＭＮ  ＩＤ、およびＭＮセッション参照ＩＤ）に対応するセッションを扱った最後のＰＤＳＮを特定する既存の無線リソースレコードを活用することである。また、外部サーバは、負荷バランシングサービスを提供すること、または特定のユーザを特定のＰＤＳＮにマップすることもできる。
【００４５】
技術（前述した手続きの１つまたは複数を含む）は、ハードウェアで、またはソフトウェアで、あるいは両方の組合せで実施することができる。少なくとも一部のケースでは、Ｉｎｔｅｌ  Ｐｅｎｔｉｕｍ（登録商標）４などのプロセッサ、プロセッサによって読取り可能である記憶媒体（揮発性のメモリおよび／または記憶要素、ならびに不揮発性のメモリおよび／または記憶要素を含む）、キーボードなどの少なくとも１つの入力デバイス、および少なくとも１つの出力デバイスをそれぞれが含むＰＤＳＮまたはＰＣＦのラインカードまたは制御プロセッサ、または汎用コンピュータ上で実行されるＲＡＤＩＵＳサーバ、ＨＬＲ、またはＶＬＲ、またはＭｉｃｒｏｓｏｆｔ  Ｗｉｎｄｏｗｓ（登録商標）９５、９８、２０００、Ｍｉｌｌｅｎｉｕｍ  Ｅｄｉｔｉｏｎ、ＮＴ、ＸＰ、Ｕｎｉｘ（登録商標）、Ｌｉｎｕｘ、またはＭａｃＯＳを実行している、または実行することができるコンピュータなどの１つまたは複数のプログラマブルコンピュータ上で実行されるコンピュータプログラムで技術が実施されると有利である。プログラムコードが、入力デバイスを使用して入力されたデータに適用されて、前述した方法を行い、出力情報を生成する。出力情報は、コンピュータの表示スクリーンなどの１つまたは複数の出力デバイスに印加される。
【００４６】
少なくとも一部のケースでは、各プログラムが、Ｃ、Ｃ＋＋、Ｊａｖａ（登録商標）、またはＰｅｒｌなどの高レベル手続き言語またはオブジェクト指向プログラミング言語で実装されてコンピュータシステムと通信すると有利である。ただし、プログラムは、所望される場合、アセンブリ言語または機械語で実装することもできる。いずれにしても、言語は、コンパイルされる言語、または解釈される言語であることが可能である。
【００４７】
少なくとも一部のケースでは、それぞれのそのようなコンピュータプログラムが、コンピュータによって記憶媒体または記憶デバイスが読み取られた際に、本明細書で説明する手続きを行うようにコンピュータを構成し、動作させるための汎用、または特殊目的のプログラマブルコンピュータによって読取り可能なＲＯＭまたは磁気ディスケットなどの記憶媒体または記憶デバイスに記憶されると有利である。また、コンピュータプログラムを有するように構成されたコンピュータ可読記憶媒体としてシステムを実装することを考えることも可能であり、そのように構成された記憶媒体により、コンピュータが、特定の事前定義された仕方で動作するようにさせられる。
【００４８】
その他の実施形態が、頭記の特許請求の範囲に含まれる。例えば、ソフトウェアＳＷによって行われる動作の１つまたは複数は、ＰＣＦまたはＭＳＣなどの別のエンティティによって行われることも可能である。そのような場合、その別のエンティティが、ＭＳに対応するＰＤＳＮを特定する。
【図面の簡単な説明】
【００４９】
【図１】従来技術のモバイル通信システムを示す図である。
【図２】従来技術のモバイル通信システムを示す図である。
【図３】従来技術のモバイル通信システムを示す図である。
【図４】パケットデータ相互接続を管理するためのシステムの要素を示すブロック図である。
【図５】図１〜４のシステムの１つまたは複数によって実行可能な手続きを示す流れ図である。
【図６】図１〜４のシステムの１つまたは複数によって実行可能な手続きを示す流れ図である。
【図７】図１〜４のシステムの１つまたは複数によって実行可能な手続きを示す流れ図である。
【図８】図１〜４のシステムの１つまたは複数によって実行可能な手続きを示す流れ図である。
【図１】
2005525711.tif 000003
【図２】
2005525711.tif 000004
【図３】
2005525711.tif 000005
【図４】
2005525711.tif 000006
【図５】
2005525711.tif 000007
【図６】
2005525711.tif 000008
【図７】
2005525711.tif 000009
【図８】
2005525711.tif 000010
【国際調査報告】
2005525711.tif 000011
2005525711.tif 000012
2005525711.tif 000013
2005525711.tif 000014
2005525711.tif 000015